(57)【要約】 【課題】  チャットサービスを提供する場合に、サービスを提供する人（被紹介者）を紹介する人（紹介者）を採用することによって、安心してサービスの提供を受けられるようにするとともに、被紹介者の宣伝を口コミで効率良く行うのに好適な紹介システム１０１を提供する。【解決手段】  紹介システム１０１の仲介サーバ１０３は、紹介者を登録し、被紹介者端末１０５は、登録された被紹介者からいずれかを選択して運営サーバ１０４に登録し、被紹介者端末１０５から一般端末１０６へ運営サーバ１０４を介してサービスが提供されると、運営サーバ１０４から当該被紹介者と当該紹介者とに報償金を支払うべき旨が仲介サーバ１０３に通知され、仲介サーバ１０３は、紹介者端末１０２に当該紹介者へ報償金を支払うことを、被紹介者端末１０５に当該被紹介者へ報償金を支払うことを、それぞれ通知する。【選択図】  図１
2007047897.tif 000002
【特許請求の範囲】
【請求項１】
紹介者端末と、仲介サーバと、運営サーバと、被紹介者端末と、一般端末と、を備える紹介システムであって、
（ａ）前記紹介者端末は、前記仲介サーバに当該紹介者の登録を行わせ、
（ｂ）前記仲介サーバは、前記被紹介者端末からの問い合わせに応じて前記登録された紹介者のリストを前記被紹介者端末に提供し、
（ｃ）前記被紹介者端末は、前記運営サーバに、前記提供された紹介者から選択したいずれかの紹介者を、当該被紹介者に対応付けて登録させ、
（ｄ）前記被紹介者端末は、前記運営サーバを介して前記一般端末にサービスを提供し、
（ｅ）前記運営サーバは、前記被紹介者端末から当該運営サーバを介して前記一般端末にサービスが提供された場合、当該被紹介者とこれに対応付けて登録された紹介者とに対する第１報償金を支払う旨を前記仲介サーバに通知し、
（ｄ）前記仲介サーバは、前記運営サーバから当該被紹介者とこれに対応付けて登録された紹介者とに対する第１報償金を支払う旨が通知された場合、当該紹介者に対して第２報償金を支払う旨を前記紹介者端末に通知し、当該被紹介者に対して第３報償金を支払う旨を前記被紹介者端末に通知する
ことを特徴とする紹介システム。
【発明の詳細な説明】
【技術分野】
【０００１】
本発明は、たとえばチャットサービスを提供する場合に、サービスを提供する人（被紹介者）を紹介する人（紹介者）を採用することによって、安心してサービスの提供を受けられるようにするとともに、被紹介者の宣伝を口コミで効率良く行うのに好適な紹介システムに関する。
【背景技術】
【０００２】
従来から、インターネットを利用して、チャットサービスを提供する技術が利用されている。このようなチャットシステムは、以下の文献に開示されている。
【特許文献１】特開２００４−３３６２９２号公報
【発明の開示】
【発明が解決しようとする課題】
【０００３】
このようなチャットサービスにおいては、チャットに参加するパーソナリティを紹介し合うことで、友人関係が広がるとともに、チャットサービスに付随する各種の広告サービスを提供することができるようになる。
【０００４】
そこで、種々のパーソナリティの参加とパーソナリティの紹介を促すための紹介システムが強く望まれている。
【０００５】
本発明は、たとえばチャットサービスを提供する場合に、サービスを提供する人（被紹介者）を紹介する人（紹介者）を採用することによって、安心してサービスの提供を受けられるようにするとともに、被紹介者の宣伝を口コミで効率良く行うのに好適な紹介システムを提供することを目的とする。
【課題を解決するための手段】
【０００６】
以上の目的を達成するため、本発明の原理にしたがって、下記の発明を開示する。
【０００７】
本発明の第１の観点に係る紹介システムは、紹介者端末と、仲介サーバと、運営サーバと、被紹介者端末と、一般端末と、を備え、以下のように構成する。
【０００８】
まず、紹介者端末は、仲介サーバに当該紹介者の登録を行わせる。
【０００９】
一方、仲介サーバは、被紹介者端末からの問い合わせに応じて登録された紹介者のリストを被紹介者端末に提供する。
【００１０】
さらに、被紹介者端末は、運営サーバに、提供された紹介者から選択したいずれかの紹介者を、当該被紹介者に対応付けて登録させる。
【００１１】
そして、被紹介者端末は、運営サーバを介して一般端末にサービスを提供する。
【００１２】
一方、運営サーバは、被紹介者端末から当該運営サーバを介して一般端末にサービスが提供された場合、当該被紹介者とこれに対応付けて登録された紹介者とに対する第１報償金を支払う旨を仲介サーバに通知する。
【００１３】
さらに、仲介サーバは、運営サーバから当該被紹介者とこれに対応付けて登録された紹介者とに対する第１報償金を支払う旨が通知された場合、当該紹介者に対して第２報償金を支払う旨を紹介者端末に通知し、当該被紹介者に対して第３報償金を支払う旨を被紹介者端末に通知する。
【００１４】
本発明の各端末や各サーバは、所定のプログラムによって上記のような機能を果たすが、当該プログラムは、インターネット等カラダウンロードして実行することができるほか、コンピュータとは独立して、コンピュータ通信網、無線通信網、電話通信網等を介して配布・販売することができる。また、これらを記録した情報記録媒体も当該コンピュータとは独立して配布・販売することができる。
【発明の効果】
【００１５】
本発明によれば、たとえばチャットサービスを提供する場合に、サービスを提供する人（被紹介者）を紹介する人（紹介者）を採用することによって、安心してサービスの提供を受けられるようにするとともに、被紹介者の宣伝を口コミで効率良く行うのに好適な紹介システムを提供することができる。
【発明を実施するための最良の形態】
【００１６】
以下に本発明の一実施形態を説明する。なお、以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本願発明の範囲に含まれる。
【実施例１】
【００１７】
図１は、本発明の紹介システムの実施形態に係る概要構成を示す模式図である。以下、本図を参照して説明する。
【００１８】
紹介システム１０１は、紹介者端末１０２と、仲介サーバ１０３と、運営サーバ１０４と、被紹介者端末１０５と、一般端末１０６と、を備える。
【００１９】
仲介サーバ１０３と、運営サーバ１０４と、は、専用のウェブサーバで実現するのが一般的であるが、紹介者端末１０２と、被紹介者端末１０５と、一般端末１０６と、は、通常のネット接続可能なコンピュータで実現するのが一般的であり、いずれも、所定のプログラムをコンピュータ上で動作させることによって実現される。
【００２０】
まず、紹介者端末１０２は、仲介サーバ１０３に当該紹介者の登録を行わせる。
【００２１】
一方、運営サーバ１０４と提携している仲介サーバ１０３は、被紹介者端末１０５からの問い合わせ（１）に応じて登録された紹介者のリストを被紹介者端末１０５に提供する（２）。当該問い合わせおよび提供は、運営サーバ１０４を介して行うのが一般的であるが、仲介サーバ１０３と被紹介者端末間で直接行うこととしても良い。
【００２２】
さらに、被紹介者端末１０５は、運営サーバ１０４に、提供された紹介者から選択したいずれかの紹介者を、当該被紹介者に対応付けて登録させる（３）。なお、ある被紹介者に対する紹介者は、ある時点において一人に限定することが望ましい。
【００２３】
そして、被紹介者端末１０５は、運営サーバ１０４を介して一般端末１０６にサービスを提供する（４）。本実施形態では、被紹介者がパーソナリティとなって、運営サーバ１０４を介したビデオチャットのサービスを提供する。
【００２４】
一方、運営サーバ１０４は、被紹介者端末１０５から当該運営サーバ１０４を介して一般端末１０６にサービスが提供された（４）場合、その旨のレポートを仲介サーバ１０３に通知するとともに（５）、当該被紹介者とこれに対応付けて登録された紹介者とに対する第１報償金を支払う旨を仲介サーバ１０３に通知する（６）。
【００２５】
さらに、仲介サーバ１０３は、運営サーバ１０４から当該被紹介者とこれに対応付けて登録された紹介者とに対する第１報償金を支払う旨が通知された（６）場合、当該紹介者に対して第２報償金を支払う旨を紹介者端末１０２に通知し（７）、当該被紹介者に対して第３報償金を支払う旨を被紹介者端末１０５に通知する（７）。
【００２６】
このような紹介システムにより、紹介者には被紹介者を紹介しようという動機付けがされ、被紹介者にはパーソナリティとしてチャットに誠実に対応しようという動機付けがされるので、紹介者から被紹介者を口コミ等で紹介してもらった一般ユーザも安心してサービスの提供を受けることができる。
【産業上の利用可能性】
【００２７】
以上説明したように、本発明によれば、たとえばチャットサービスを提供する場合に、サービスを提供する人（被紹介者）を紹介する人（紹介者）を採用することによって、安心してサービスの提供を受けられるようにするとともに、被紹介者の宣伝を口コミで効率良く行うのに好適な紹介システム１０１を提供することができる。
【図面の簡単な説明】
【００２８】
【図１】本発明の紹介システムの実施形態の概要構成を示す模式図である。
【符号の説明】
【００２９】
１０１  紹介システム
１０２  紹介者端末
１０３  仲介サーバ
１０４  運営サーバ
１０５  被紹介者端末
１０６  一般端末
【図１】
2007047897.tif 000003